(57)【要約】  オーディオの同期記録のための方法及びシステムであって、（ａ）マスタ装置と第１記録装置との間の第１無線データ伝送接続を確立するステップと、（ｂ）マスタ装置と第２記録装置との間の第２無線データ伝送通信接続を確立するステップと、（ｃ）第１データ伝送接続に対する第１データ伝送遅延を求めるステップと、（ｄ）前記第２データ伝送接続に対する第２データ伝送遅延を求めるステップと、（ｅ）マスタ装置から第１記録装置及び第２記録装置へ所定の基準データを伝送するステップと、（ｆ）第１記録装置において、所定の基準データを再生し、第１記録データを記録するステップと、（ｇ）第２記録装置において、所定の基準データを再生し、第２記録データを記録するステップと、を備え、（ｈ）所定の基準データを伝送するステップにおいて、第１データ伝送遅延と第２データ伝送遅延との間の差異を、第１記録装置と第２記録装置とにおける所定の基準データの再生が同期して行われるように考慮する。
2017538242.tif 000002
【特許請求の範囲】
【請求項１】
オーディオの同期記録のための方法であって、
当該方法は、
マスタ装置と第１記録装置との間の無線の第１データ伝送接続を確立するステップと、
前記マスタ装置と第２記録装置との間の無線の第２データ伝送接続を確立するステップと、
前記第１データ伝送接続に対する第１データ伝送遅延を求めるステップと、
前記第２データ伝送接続に対する第２データ伝送遅延を求めるステップと、
前記マスタ装置から前記第１記録装置及び前記第２記録装置へ所定の基準データを伝送するステップと、
前記第１記録装置において、前記所定の基準データを再生し、第１記録データを記録するステップと、
前記第２記録装置において、前記所定の基準データを再生し、第２記録データを記録するステップと、を備え、
前記所定の基準データを伝送するステップにおいて、前記第１記録装置と前記第２記録装置とにおける前記所定の基準データの再生が同期して行われるように、前記第１データ伝送遅延と前記第２データ伝送遅延との間の差異を考慮する、方法。
【請求項２】
前記マスタ装置は、第１時点において前記所定の基準データの前記第１記録装置への伝送を開始し、かつ、第２時点において前記所定の基準データの前記第２記録装置への伝送を開始し、
前記第１時点と前記第２時点との間の時間間隔は、前記第１データ伝送遅延と前記差異２のデータ伝送遅延との間の前記差異と同じである、
請求項１に記載の方法。
【請求項３】
前記マスタ装置は、第１オフセット値を前記所定の基準データとともに前記第１記録装置に伝送し、かつ、第２オフセット値を前記所定の基準データとともに前記第２記録装置に伝送し、
前記第１記録装置は、前記所定の基準データの再生を前記第１オフセット値に応じて遅らせ、
前記第２記録装置は、前記所定の基準データの再生を前記第２オフセット値に応じて遅らせ、
前記第１オフセット値と前記第２オフセット値との間の差異は、前記第１データ伝送遅延と前記差異２のデータ伝送遅延との間の前記差異と同じである、
請求項１に記載の方法。
【請求項４】
前記第１記録データは、前記第１記録装置のメモリ内に保存され、及び／又は、前記第２記録データは、前記第２記録装置のメモリ内に保存される、
請求項１乃至３のいずれか１項に記載の方法。
【請求項５】
さらに、
前記第１記録装置から前記マスタ装置へ前記第１記録データを伝送するステップと、及び／又は、
前記第２記録装置から前記マスタ装置へ前記第２記録データを伝送するステップと、
を備える、請求項１乃至４のいずれか１項に記載の方法。
【請求項６】
前記第１記録データ及び／又は前記第２記録データの伝送が連続的に行われる、
請求項１乃至５のいずれか１項に記載の方法。
【請求項７】
前記第１記録データ及び／又は前記第２記録データの伝送が時間的に分割されて行われる、
請求項５に記載の方法。
【請求項８】
前記第１データ伝送遅延を求めるステップが、
前記マスタ装置から前記第１記録装置に第１基準信号を伝送するステップと、
前記マスタ装置において、前記第１記録装置からの第１応答信号を受信するステップと、
前記第１データ伝送遅延を前記第１基準信号の前記伝送と前記第１応答信号の前記受信までの間の第１期間に基づいて求めるステップと、
を備え、及び／又は、
前記第２データ伝送遅延を求めるステップが、
前記マスタ装置から前記第２記録装置に第２基準信号を伝送するステップと、
前記マスタ装置において、前記第２記録装置からの第２応答信号を受信するステップと、
前記第２データ伝送遅延を前記第２基準信号の前記伝送と前記第２応答信号の前記受信までの間の第２期間に基づいて求めるステップと、
を備える、請求項１乃至７のいずれか１項に記載の方法。
【請求項９】
前記第１基準信号が第１デジタル信号であり、前記第１データ伝送接続を介して伝送され、及び／又は、前記第２基準信号は第２デジタル信号であり、前記第２データ伝送接続を介して伝送される、
請求項８に記載の方法。
【請求項１０】
前記第１基準信号は、前記マスタ装置のスピーカから出力される第１音響信号であり、前記第１応答信号は前記第１音響信号の記録を備え、及び／又は、
前記第２基準信号は、前記マスタ装置のスピーカから出力される第２音響信号であり、前記第２応答信号は、前記第２音響信号の記録を備える、
請求項８に記載の方法。
【請求項１１】
オーディオの同期記録のためのシステムであって、
第１記録装置と、
第２記録装置と、
マスタ装置と、
を備え、
前記第１記録装置、前記第２記録装置、及び、前記マスタ装置は、
請求項１乃至１０いずれか１項に記載の方法を実行するように構成されている、システム。
【発明の詳細な説明】
【技術分野】
【０００１】
本発明は、オーディオの同期記録の分野に関し、特に、無線データ伝送を用いたオーディオの同期記録のための方法及びシステムに関する。
【背景技術】
【０００２】
例えば、それぞれ記録装置を使用する２以上のミュージシャン又はシンガーによって、複数の別個の記録装置（マイクロホン）を用いて、オーディオの同期記録をする場合、各ミュージシャン又はシンガーが共通の基準（例えばメトロノーム又は先行して記録されたサウンドトラック）をそれぞれのヘッドホンで聞き、この基準と関連して演奏し又は歌唱することが一般的に行われている。個々の記録は、従ってマスタ装置へ伝送され、そこで統合され、完成した記録が作成される。
【０００３】
各個別の記録装置とマスタ装置との間の接続が無線でできればいくつかの理由から有用である。これは、例えば、記録装置の位置決めの際に高い柔軟性をもたらす。しかしながら、無線データ伝送のためのほとんどの技術（例えばＢｌｕｅｔｏｏｔｈ（登録商標））は、各個別の接続に対してデータ伝送における異なる遅延を生じうる反応時間を有するために、複数の記録装置の必要な同期を達成する困難性に関連する。ミリ秒範囲のわずかな時間的ずれであっても、ミュージシャンやシンガーにとっては、できばえの良い記録を作成するのに、耐え難いものである。さらに、無線接続においては、データ損失を招く虞のある接続が中断され、というリスクもある。
【０００４】
本発明は、無線データ伝送でオーディオを記録するための改良された技術を提供するという課題に基づくものである。
【発明の概要】
【０００５】
この課題は、独立請求項の対象によって解決される。本発明の有利な実施形態は、従属請求項に記載されている。
【０００６】
本発明の第１態様によれば、オーディオの同期記録のための方法が記載されている。この記載の方法は、次のステップを備える。
（ａ）マスタ装置と第１記録装置との間の第１無線データ伝送接続を確立するステップと、
（ｂ）マスタ装置と第２記録装置との間の第２無線データ伝送接続を確立するステップと、
（ｃ）第１データ伝送接続に対する第１データ伝送遅延を求めるステップと、
（ｄ）第２データ伝送接続に対する第２データ伝送遅延を求めるステップと、
（ｅ）マスタ装置から第１記録装置及び第２記録装置に所定の基準データを伝送するステップと、
（ｆ）第１記録装置において、所定の基準データを再生し、第１記録データを記録するステップと、
（ｇ）第２記録装置において、所定の基準データを再生し、第２記録データを記録するステップと、を備え、
（ｈ）所定の基準データを伝送するステップにおいて、第１記録装置と第２記録装置とにおける所定の基準データの再生が同期して行われるように、第１データ伝送遅延と第２データ伝送遅延との間の差異を考慮する。
【０００７】
ここに記載された方法は、（第１無線伝送接続に対する）第１伝送遅延、及び、（第２無線伝送接続に対する）第２伝送遅延を求めることができるという知見に基づくものであり、求められた伝送遅延間の差異を考慮することによって、（第１及び第２）両記録装置における所定の基準データの同期再生を達成できる。この方法によれば、シンプルで手ごろな記録装置に所定の基準データを再生させることで、複数のミュージシャン又はシンガーが同時に彼らのそれぞれのパートを１つの記録に記録できるようになる。
【０００８】
本明細書では、「所定の基準データ」とは、例えば、メトロノーム信号のような、特に、適切な基準信号を表すデータであって、それが（例えばヘッドホンによって）再生されると、ミュージシャン又はシンガーに、彼らのパートを適切な時間に予定されたテンポで記録することを可能にする。
【０００９】
本発明による方法は、マスタ装置と第１記録装置との間の第１無線データ伝送接続、及び、マスタ装置と第２記録装置との間の第２無線データ通信接続を確立することで開始する。無線データ伝送接続は、特にＢｌｕｅｔｏｏｔｈ接続であってもよい。その後、各データ伝送接続に対するデータ伝送遅延が求められる。換言すると、マスタ装置と（第１及び第２）記録装置との間のデータ伝送にどのくらいの長さの時間がかかるか求められる。無線接続が確立され、対応するデータ伝送遅延が求められた後に、所定の基準データがマスタ装置から第１及び第２記録装置へ伝送される。その後、各記録装置が対応する記録データを記録する間、所定の基準データが各記録装置から同期して再生される。基準データの再生は、例えば、ヘッドホンによって又はモニタのスピーカによって実行され、これらは、場合によっては、再現された基準オーディオ信号が記録を妨げるように影響しないように設けられている。基準データの同期再生は、データ伝送遅延を考慮することによって達成される。このようにして、両記録装置が、同時に、所定の基準データによって同期された、個別の記録を行うことができる。
【００１０】
本発明の実施形態によれば、マスタ装置は、第１時点において第１記録装置への基準データの伝送を開始し、第２時点において第２記録装置への基準データの伝送を開始し、第１時点と第２時点との間の時間間隔は、第１データ伝送遅延と第２データ伝送遅延との間の差異と等しい。
【００１１】
この実施形態では、第１データ伝送遅延と第２データ伝送遅延との間の差異は、所定の基準データが同時に両方の規則装置に到着し、従って同じく同時に（同期して）再生され得るように、第１及び第２記録装置への所定の基準データの伝送を時間的に移動させるのに用いられる。
【００１２】
この実施形態は、特に、マスタ装置が同期の役割を担っているので、記録装置が同期の達成のために貢献する必要がない、という利点を有する。
【００１３】
本発明のさらなる実施形態によれば、マスタ装置は、第１オフセット値を基準データとともに第１記録装置へ伝送し、第２オフセット値を基準データとともに第２記録装置へ伝送しており、第１記録装置は、所定の基準データの再生を第１オフセット値に対応して遅らせ、第２記録装置は、所定の基準データの再生を第２オフセット値に対応して遅らせ、第１オフセット値と第２オフセット値との間の差異は、第１データ伝送遅延と第２データ伝送遅延との間の差異に等しい。
【００１４】
この実施形態では、各記録装置に対するオフセット値を計算し、所定の基準データとともに対応する記録装置に伝達するのに、第１データ伝送遅延と第２データ伝送遅延との間の差異が用いられる。各記録装置は、その後、受信した所定の基準データの再生を、与えられたオフセット値に対応して遅らせる。このようにして所定の基準データは同時に両方の記録装置において再生される。
【００１５】
本発明のさらなる実施形態によれば、第１記録データは第１記録装置のメモリに保存され、及び／又は、第２記録データは第２記録装置のメモリに保存される。
【００１６】
記録データは、例えば、高分解能（Aufloesung）（例えば２４ビット、９６ｋＨｚの）を有するデジタルオーディオデータとして、記録装置内のＳＤカードに保存されることができる。代替的に、記録データは、適切な圧縮データフォーマット（例えば、ＡＡＣ、ＭＰ３、ＭＰ４、等）で保存されることができる。記録データは、同時に、高分解能でかつ圧縮されて保存されることもできる。
【００１７】
本発明のさらなる実施形態によれば、本方法は、さらに次のステップを含む。（a）第１記録装置からマスタ装置へ第１記録データを伝送するステップ、及び／又は（b）第２記録装置からマスタ装置へ第２記録データを伝送するステップ。
【００１８】
マスタ装置にそれぞれの記録データを伝送することにより、マスタ装置は、完全な記録を作成するために、記録されたデータを統合することができる。
【００１９】
本発明のさらなる実施形態によれば、第１及び/又は第２記録データの伝送が連続的に行われる。
【００２０】
この実施形態では、記録データが原則体に中断されることなくストリーミングされる。データ伝送接続が中断すれば、欠損したデータは後に各記録装置のメモリから読み出され、改めてストリーミングされ、既に伝送された記録データと統合される。
【００２１】
本発明のさらなる実施形態によれば、第１及び/又は第２記録データの伝送が、時間的に分割されて行われる。
【００２２】
この実施形態では、記録データが、固定または可変サイズのパケット内で伝送される。伝送は、定期的に、即ち、固定の時間的間隔で、又は、不定期で行われることができる。後者の場合には、記録装置のメモリ内に（中間）保存されている記録データは、全体の記録工程の終了後に初めて伝送されることができる。
【００２３】
本発明のさらなる実施形態によれば、第１データ伝送遅延を求めるステップが、（ａ）第１基準信号をマスタ装置から第１記録装置へ伝送するステップと、（ｂ）第１記録装置からの応答信号をマスタ装置において受信するステップと、（ｃ）第１データ伝送遅延を第１基準信号の伝送から第１応答信号の受信までの間の第１期間に基づいて求めるステップとを備え、及び／又は、第２データ伝送遅延を求めるステップが、（ｄ）第２基準信号をマスタ装置から第２記録装置へ伝送するステップと、（ｅ）第２記録装置からの第２応答信号をマスタ装置において受信するステップと、（ｆ）第２データ伝送遅延を、第２基準信号の伝送と第２応答信号の受信までの間の期間に基づいて求めるステップとを備える。
【００２４】
換言すれば、マスタ装置は、基準信号の送信と記録装置からの対応する応答信号の受信との間の期間を求めることにより、それぞれのデータ伝送遅延を求める。
【００２５】
本発明のさらなる実施形態によれば、第１基準信号は、第１データ伝送接続を介して伝送される第１デジタル信号であって、及び／又は、第２基準信号は、第２データ伝送接続を介して伝送される第２デジタル信号である。
【００２６】
本実施形態では、デジタル基準信号も対応する応答信号も、無線データ伝送接続を介して伝達される。その結果、データ伝送遅延を総期間の実質的に半分として求めることができる。場合によっては、必要な処理時間が記録装置においても考慮されることができる。
【００２７】
本発明のさらなる実施形態によれば、第１基準信号は、マスタ装置のスピーカから出力される第１音響信号であり、第１応答信号は、第１音響信号の記録を備え、及び／又は、第２基準信号は、マスタ装置のスピーカから出力される第２音響信号であり、第２応答信号は、第２音響信号の記録を備える。
【００２８】
本実施形態では、応答信号のみが無線データ伝送接続を介して伝達される。その結果、データ伝送遅延を実質的に総期間として求めることができる。場合によっては、ここでも必要な処理時間が記録装置において考慮されることができる。
【００２９】
本発明の第２態様によれば、オーディオの同期記録のためのシステムが説明される。説明されているシステムは、（ａ）第１記録装置と、（ｂ）第２記録装置と、（ｃ）マスタ装置とを備え、第１記録装置、第２記録装置、及び、マスタ装置は、第１態様又は上述の実施形態による方法を実行するために構成されている。
【００３０】
各記録装置は、特に、オーディオデータの記録のためのマイクロホンユニットと、オーディオデータを再生するための再生ユニット（例えばヘッドホン出力及び／又はスピーカ）と、データメモリと、無線データ通信のためのデータ伝送ユニットとコントローラとを備える。
【００３１】
マスタ装置は、特にコントローラと、データメモリと、無線データ通信のためのデータ伝送ユニットとを備える。マスタ装置は、特にインストールされたアプリケーション（Ａｐｐ）を有するデジタル機器（例えば、スマートフォン、タブレット、又は、ＰＣ）として実装されると好ましい。
【００３２】
上述の態様及び実施形態において、再三、２つの記録装置が説明されたが、当業者には、本発明を容易に２より多い記録装置に拡張できることは、明らかであろう。さらに、それぞれのさらなる記録装置に対してデータ伝送遅延だけが、同様に求められ考慮されなければならず、従って所定の基準データの再生は全ての記録機器上で同期して実行される。
【図面の簡単な説明】
【００３３】
【図１】本実施形態に係るシステムを示す図である。
【図２】図1に示すシステムの記録装置を示している。
【発明を実施するための形態】
【００３４】
図１は、本実施形態に係るオーディオの同期記録のシステム１００を示す。システム１００は、マスタ装置１１０、第１記録装置１２０ａ及び第２記録装置１２０ｂを備える。マスタ装置１１０は、デジタル機器（例えば、ｉＯＳ又はＡｎｄｒｏｉｄオペレーションシステムを有するスマートフォン）であり、そこにアプリケーション（Ａｐｐ）１１２がインストールされている。アプリケーション１１２は、後述の機能を実行するように構成されている。マスタ装置１１０は、Ｂｌｕｅｔｏｏｔｈを用いた無線データ通信のためのアンテナ１１４を備えている。
【００３５】
両記録装置１２０ａ、１２０ｂのそれぞれは、マスタ装置１１０との（アンテナ１１４を経由した）無線データ通信のためのアンテナ１２２ａ、１２２ｂと、ユーザにオーディオを再現するヘッドホン１２４ａ、１２４ｂのコネクタとを備える。図１には２つの記録装置１２０ａ、１２０ｂのみが示されているが、システムは、任意の多数の記録装置を備えることができる。
【００３６】
図２は、図１に示されたシステム１００の記録装置２２０の詳細な概要を示す。図示された記録装置２２０は、従って実質的に、図１に示された記録装置１２０ａ、１２０ｂのそれぞれに対応する。
【００３７】
記録装置２２０は、中央データ処理ユニット（プロセッサ）２３０を備え、中央データ処理ユニットは、Ｂｌｕｅｔｏｏｔｈトランシーバ２２１、ＧＰＳ受信機２３４、アナログ‐デジタル変換器（ＡＤＣ）２２５、デジタル‐アナログ変換器（ＤＡＣ）２２３、ＵＳＢインターフェース２３４、データメモリ２２８、及び、ユーザインターフェース２３２、通信可能に接続されている。Ｂｌｕｅｔｏｏｔｈトランシーバは、アンテナ２２２とアンテナ２３５を備えるＧＰＳ受信機とに接続されている。  ＧＰＳ受信機は、（例えば、位置、日時などの）ＧＰＳデータをメタデータとして、記録データ内に又は記録データとともに保存することを可能にする。  ＡＤＣ２２５は、オーディオの記録のためのマイクロホンユニット２２６と接続されている。  ＤＡＣ２２３は、ヘッドホン２２４のためのコネクタと接続されている。ユーザインターフェース２２８は、操作ユニット２３３と接続されており、操作ユニットはプッシュボタン及びＬＥＤを備える。記録装置２２０はさらに電力供給ユニット２３６を備え、電力供給ユニットは、前述の構成部品に電気エネルギーを供給する。
【００３８】
図１および図２の両方を参照し、本発明による、オーディオを同期記録するための方法を説明する。まず、マスタ装置１１０と各記録装置１２０ａとの間の無線伝送接続が確立される。その後、各データ伝送接続に対してデータ伝送遅延を求める。これは、例えば、マスタ装置１１０が、基準信号を（対応する無線データ伝送接続を介して又は音響信号として）送信し、関連する記録装置１２０ａ、１２０ｂからの対応する応答信号を受け取るまでの期間を測定することで実行される。次に、マスタ装置から第１記録装置１２０ａ及び第２記録装置１２０ｂに所定の基準データが（各無線伝送接続を介して）伝送される。この基準信号を受け取った後、対応する基準音響信号（例えば、メトロノーム信号、クリックトラック（Click-Track）、又は、以前に録音された基準信号）が第１記録装置１２０ａ及び第２記録装置１２０ｂにおいて同期して再生される。基準オーディオ信号の同期再生を可能にするために、求められた複数のデータ伝送遅延、特に、第１データ伝送遅延と第２データ伝送遅延との間の差異が考慮される。基準オーディオ信号が再生されている間、両記録装置は（マイクロホン２２６を介して）記録データを記録し、これをデータメモリ２２８に、場合によってはＧＰＳ受信機２３４からのＧＰＳデータに基づくメタデータとともに、保存する。記録データは、対応する無線データ伝送接続を介してマスタ装置に伝送されてもよい。代替的に又は付加的に、記録データは、ＵＳＢインターフェース２３４を介して読み出されることができる。各記録の最初と最後は操作ユニット２３３の操作を介して、ユーザによって画定される。
【００３９】
上述の同期は、求められたデータ送信遅延に基づく様々な方法で達成することができる。第１可能性は、所定の基準データの各個別の記録装置への伝送を時間シフトさせて実行することであり、ここで、伝送時点同士の間の時間間隔はデータ伝送遅延同士の間の差異と等しい。
【００４０】
別の可能性は、個別のオフセット値を所定の基準データとともに各記録装置に伝送することである。オフセット値同士の差異がデータ伝送遅延同士の差異と等しくなるように、オフセット値が選択される。個々の記録装置は、その後、基準データの再生を、受け取ったオフセット値に基づいて遅延させ、基準データの再生は、この場合にも同期して行われる。
【図１】
2017538242.tif 000003
【図２】
2017538242.tif 000004
【国際調査報告】
2017538242.tif 000005
2017538242.tif 000006
2017538242.tif 000007
2017538242.tif 000008